(57)【要約】  本発明は、薬剤送達装置に関し、薬剤送達装置は、ハウジング（１０）と、薬剤送達部材（６４）を有する薬剤容器（６２）を収容するように構成された薬剤容器ホルダ（６０）と、作動されたときに用量分の薬剤を排出するための上記薬剤容器（６２）に作用するように構成された駆動ユニット（８１）と、上記駆動ユニット（８１）に動作可能に接続され、上記駆動ユニットを作動可能な作動機構（３０、４８、１４８）とを備え、上記作動機構（３０、４８、１４８）は、上記ハウジング（１０）に対して長手方向に移動可能な薬物送達部材ガード（３０）を備え、上記作動機構は、上記薬物送達部材ガード（３０）を上記薬剤送達部材（６４）がカバーされる近位延長位置に付勢するように構成された力要素（１４８）を備え、ロック機構（４０、１６０）は上記薬物送達部材ガード（３０）を延長位置においてロックするように動作可能に構成され、上記ロック機構（４０、１６０）は、上記薬物送達部材ガード（３０）に接続され、略径方向に可撓性であるいくつかのロック要素（４０）を備え、上記ロック機構は上記ハウジングに接続されたいくつかの棚面（１６０）をさらに備え、上記薬物送達部材ガード（３０）が延長位置に動かされるときに、上記ロック要素（４０）は径方向外側に撓み、上記棚面（１６０）に当接し、上記薬物送達部材ガード（３０）の遠位方向におけるそれ以上の動きを阻止する。本発明は、上記ハウジング（１０）に接続された空間（１５８）によって特徴付けられ、その中に上記ロック要素（４０）が上記薬剤送達装置の送達モードにおける張力のかかっていない状態において配置される。
2019535411.tif 000002
【特許請求の範囲】
【請求項１】
薬剤送達装置であって、
−ハウジング（１０）と、
−薬剤送達部材（６４）を有する薬剤容器（６２）を収容するように構成された薬剤容器ホルダ（６０）と、
−作動されたときに用量分の薬剤を排出するために前記薬剤容器（６２）に作用するように構成された駆動ユニット（８１）と、
−前記駆動ユニット（８１）に動作可能に接続され前記駆動ユニットを作動可能な作動機構（３０、４８、１４８）とを備え、
−前記作動機構（３０、４８、１４８）は、前記ハウジング（１０）に対して長手方向に移動可能な薬物送達部材ガード（３０）を備え、
−前記作動機構は、前記薬物送達部材ガード（３０）を前記薬剤送達部材（６４）がカバーされる近位延長位置に付勢するように構成された力要素（１４８）を備え、前記薬剤送達装置はさらに、
−前記薬物送達部材ガード（３０）を前記延長位置においてロックするように動作可能に構成されたロック機構（４０、１６０）を備え、
−前記ロック機構（４０、１６０）は、前記薬物送達部材ガード（３０）に接続され、略径方向に可撓性であるいくつかのロック要素（４０）を備え、
−前記ロック機構は、前記ハウジングに接続されたいくつかの棚面（１６０）をさらに備え、前記薬物送達部材ガード（３０）が前記延長位置において動かされるときに、前記ロック要素（４０）は、径方向外側に撓み、前記棚面（１６０）に当接し、前記薬物送達部材ガード（３０）の遠位方向におけるそれ以上の動きを阻止し、
前記薬剤送達装置の送達モードにおける張力のかかっていない状態において前記ロック要素（４０）が配置される前記ハウジング（１０）に接続された空間（１５８）において特徴付けられる、薬剤送達装置。
【請求項２】
前記空間（１５８）は、前記薬剤送達装置の前記ハウジングの内側に取り付けられた別個の部品（１５２）上に構成される、請求項１に記載の薬剤送達装置。
【請求項３】
前記別個の部品（１５２）は、前記薬剤送達装置の前記ハウジングに取り外し可能に取り付けられる、請求項２に記載の薬剤送達装置。
【請求項４】
前記少なくとも１つの部品（１５２）は、細長い板状部材を備える、請求項２または請求項３に記載の薬剤送達装置。
【請求項５】
前記ハウジングは、組み立てられたときの前記部品（１５２）の動きを阻止する支持要素（２０、１０６、１６２）を有して構成される、請求項４に記載の薬剤送達装置。
【請求項６】
前記支持要素は、前記少なくとも１つの部品（１５２）の近位端部に当接するように構成される横方向ストップ要素（２０）を備える、請求項５に記載の薬剤送達装置。
【請求項７】
前記横方向ストップ要素（２０）は、前記ハウジング内に備えられる、請求項６に記載の薬剤送達装置。
【請求項８】
前記支持要素は、横方向のすべてにおいて前記少なくとも１つの部品（１５２）を支持するように構成される長手方向に延在する棚部（１６２）を備える、請求項５に記載の薬剤送達装置。
【請求項９】
前記支持要素は、前記少なくとも１つの部品（１５２）の遠位端部に当接するように構成される横方向ストップ要素（１０６）を備える、請求項３〜請求項５のいずれか１項に記載の薬剤送達装置。
【請求項１０】
前記支持要素は、前記ハウジングに取り付け可能な部品（１０６）内に備えられる、請求項７に記載の薬剤送達装置。
【請求項１１】
前記少なくとも１つの部品（１５２）は、前記棚面（１６０）を備える、上述の請求項のいずれか１項に記載の薬剤送達装置。
【発明の詳細な説明】
【技術分野】
【０００１】
技術的領域
本発明は、多数の自動構成を備える薬剤送達装置に関する。
【背景技術】
【０００２】
発明の背景
いくつかの構成、特に薬剤送達部材のたとえば穿通、注射、引き抜きおよびカバーといった自動化された構成を有する薬剤送達装置は、この１０〜１５年の間にますます普及している。
【０００３】
自動注射器とも呼ばれるこれらの高度に自動化された薬剤送達装置の多くは、緊急事態の間に摂取されるべき薬剤のために、そしてしばしば未経験のユーザによって使用される。自動注射器に関連して使用される１つの非常に汎用的な薬剤は、アナフィラキシーの緊急治療のために投与されるアドレナリンである。
【０００４】
人がアナフィラキシーショックを煩うのに備えて、これら種類の多数のアドレナリン薬剤送達装置が、学校、美術館、ショッピングモールなどの社会で緊急デバイスとして配置される。そして教師、警備員、営業担当者などの支援要員は、アドレナリンを有する自動注射器を使用してショック状態にある人を治療する。
【０００５】
異なる種類の薬剤を有するこれらおよび多くのその他の薬剤送達装置は、しばしば使用される前に長期間保管される。大多数のこの種類の薬剤送達装置は、経年変化したときに属性変化し得るプラスチック材料の部品および要素から作られる。さらに、これらのデバイスの多くの機能は、機能的部品を解放するまたは固定するために異なる方向において可撓性であるように構成される舌部、指部、アーム、レバーおよびその他の要素を備える。
【０００６】
たとえば文献ＷＯ２０１３／０３２３８９において開示された薬剤送達装置は、穿通を行い注射を行うためにプランジャロッドを保持し解放し、薬剤送達部位からの薬剤送達装置の除去後の薬物送達部材ガードの動きをブロックするために、薬剤容器ホルダを保持し解放するために略径方向において可撓性であるいくつかのレバーを備える。これらのレバーの多く、特に薬物送達部材ガードをブロックするレバーは、それらの初期的状態において撓んで張力のかかった状態にあり、薬物送達部材ガードがブロックされるべきときには撓められて張力のかかっていないブロック状態にされる。
【０００７】
しかし、プラスチック材料の経年変化の効果および張力のかかった状態により、レバーは、それらの撓み属性を大幅に失い得、これはレバーのブロック能力を破壊し得、このためそれが薬剤送達部材が露出されるように薬物送達部材ガードを移動する可能性がある場合には、けがの危険性があり得る。
【発明の概要】
【発明が解決しようとする課題】
【０００８】
本発明の簡単な説明
本発明の目的は、従来技術の薬剤送達装置の欠点を克服し、より長期の保管期間後にも完全な機能性を確実にする解決策を提供することである。
【課題を解決するための手段】
【０００９】
本発明の目的は、独立特許請求項の構成を備える薬剤送達装置によって解決される。本発明の好ましい実施形態は、従属請求項の主題を形成する。
【００１０】
主たる発明の局面に従い、それは、ハウジングと薬剤容器を収容するように構成された薬剤容器ホルダとを備え得る薬剤送達装置を備える。さらに薬剤送達装置は、作動されたときに用量分の薬剤を排出するために上記薬剤容器に作用するように構成された駆動ユニット、並びに駆動ユニット動作可能に接続され駆動ユニットを作動可能な作動機構を備え得る。
【００１１】
好ましくは作動ユニットは、薬剤送達装置の近位端部が用量送達部位に対して押されたときに上記ハウジングに対して長手方向に移動可能な薬物送達部材ガードを備え、作動ユニットは、薬剤送達部材がカバーされる近位延長位置に薬物送達部材ガードを付勢するように構成された力要素を備え得る。
【００１２】
薬剤送達装置は、延長位置において薬物送達部材ガードをロックするように動作可能に構成されたロック機構をさらに備え得、ロック機構は、略径方向に可撓性であるいくつかのロック要素を備え得る。ロック機構は、薬物送達部材ガードが延長位置にあるときにロック要素が当接する棚面をさらに備え得、遠位方向における薬物送達部材ガードのそれ以上の動きを阻止する。これは、そうでなければ針が刺さるといったけがを引き起こし得る露出される薬剤送達部材のいかなる事故を効果的に阻止する。
【００１３】
有利な解決策に従い、薬剤送達装置は、薬剤送達装置の送達モードにおける張力のかかっていない状態においてロック要素が配置される、ハウジングに接続された空間を有して構成され得る。この解決策を用いて、ロック要素は、将来の使用のために配送され保管されるときに長期間張力のかかった状態にないであろう。このためロック要素の材料は材料における張力により影響され変化されないことが予測され、このため長い保管期間の後にも、薬剤送達装置が使用されるときにロック要素の適切な機能および撓み動作を確実にする。
【００１４】
空間は凹部またはハウジングの内面上のまたは隣接する部分上の切欠きであり得る。１つの発明の局面に従い、空間は、薬剤送達装置のハウジングの内側に取り付けられた少なくとも１つの別個の部品上に構成され得る。この解決策を用いれば、ハウジングそれ自体の内部に空間または凹部を作成するよりも簡単に作成できるが、これは、ハウジングそれ自体の内部に空間または凹部を作成することが製造の観点から困難であるためである。別個の部品は、ハウジングに恒久的にまたは取り外し可能に取り付けられ得る。
【００１５】
さらに、別個の部品は、細長い板状部材を備え得、ハウジングは、支持要素を有して構成され得、組み立てられたときの部品の動きを阻止する。その点で、支持要素は、少なくとも１つの部品の近位端部に当接するように構成される横方向ストップ要素を備え得る。横方向ストップ要素は、ハウジング内に備えられ得る。この解決策は、板状部材が横方向ストップ要素に当接するまで遠位方向から支持要素を介してハウジングへと押されるか配置されることを可能とする。好ましくは支持要素は、横方向のすべてにおいて少なくとも１つの部品を支持するように構成される長手方向に延在する棚部を備え得る。
【００１６】
板状部材を固定化するために、支持要素は、少なくとも１つの部品の遠位端部に当接するように構成される横方向ストップ要素を備え得、１つの局面に従い、支持要素は、ハウジングの遠位端部に取り付けられた端キャップといった、ハウジングに取り付け可能な部品内に備えられ得る。
【００１７】
さらに、少なくとも１つの要素はまた、ロック機構の棚面を備え得る。これは、ハウジングの製造および成形が比較的複雑ではなくなるという点において、製造が容易にされるという利点を有する。
【００１８】
本発明のこれらおよび他の局面、並びに本発明による利点は、以下の本発明の詳細な説明および添付の図面から明らかになるであろう。
【００１９】
図面の簡単な説明
本発明の以下の詳細な説明では、添付の図面を参照する。
【図面の簡単な説明】
【００２０】
【図１】本発明を構成する薬剤送達装置の１つの実施形態の分解図である。
【図２】図１の薬剤送達装置内に備えられる部品の詳細な図である。
【図３】図１の薬剤送達装置内に備えられる部品の詳細な図である。
【図４ａ】図１の薬剤送達装置の断面図である。
【図４ｂ】図１の薬剤送達装置の断面図である。
【図５ａ】図１の薬剤送達装置内に備えられる駆動ユニットの断面図である。
【図５ｂ】図１の薬剤送達装置内に備えられる駆動ユニットの断面図である。
【図６】図１の薬剤送達装置内に備えられる部品の詳細な図である。
【図７】図１の薬剤送達装置内に備えられる部品の詳細な図である。
【図８】図１の薬剤送達装置内に備えられる部品の詳細な図である。
【図９】図１の薬剤送達装置内に備えられる部品の詳細な図である。
【図１０】図１の薬剤送達装置内に備えられる部品の詳細な図である。
【図１１】図１の薬剤送達装置内に備えられる部品の詳細な図である。
【図１２】図１の薬剤送達装置内に備えられる部品の詳細な図である。
【図１３】図１の薬剤送達装置内に備えられる部品の詳細な図である。
【図１４】図１の薬剤送達装置の異なる機能的段階の図である。
【図１５】図１の薬剤送達装置の異なる機能的段階の図である。
【図１６】図１の薬剤送達装置の異なる機能的段階の図である。
【図１７】図１の薬剤送達装置の異なる機能的段階の図である。
【図１８】図１の薬剤送達装置の異なる機能的段階の図である。
【発明を実施するための形態】
【００２１】
発明の詳細な説明
本発明は、長手軸Ｌに沿って延在し、近位端部１２および遠位端部１４を有する細長いハウジング１０を有する薬剤送達装置に関する。ハウジング１０の近位端部は、管状セクション１６を有して構成され、その上に保護キャップ１６４が取り外し可能に取り付けられるように構成される。横方向の移行壁２０は、管状セクション１６とハウジング１０の残りの部分との間に構成される。ハウジングの遠位端部１４は、中央開口部２２を有して構成され、そこに端キャップ１３８が取り付けられ得る。ハウジングの遠位領域は、略径方向に可撓性であるアーム２９を有して構成され、このアームは、以下に説明される端キャップ１３８を取り付けるための内向きの棚部を有して構成される。さらに、ハウジング１０の近位端部１２は、開口部２６を有して構成される。さらには、開口部または窓２８は、ハウジングの側面上に構成される。
【００２２】
図１および図２および以下に説明されるように作動機構内に備えられる先側薬物送達部材ガード３０と後側薬物送達部材ガード４８とを備える示される実施形態では、薬物送達部材ガードは、さらにハウジング１０内に摺動可能に構成される。先側薬物送達部材ガード３０は、ハウジングの近位端部において開口部２６を通して突出し得る近位略筒状部３２を有して構成される。筒状部３２は、Ｕ字型切欠きによって筒状部３２内に形成される、近位に向けられた舌部３４を有して構成される。舌部３４は、略径方向に可撓性であり外側に延在する突起３６を有して構成される。近位部３２の遠位端部において、２つの略平坦なアーム３８が遠位方向に延在する。近位部３２とアーム３８との間の接合部に舌部４０が取り付けられ、これは、長手軸に対していくらか外側に傾斜して遠位方向に延在する。舌部４０は、舌部４０の近位端面４２が作成されるように設計され、近位部３２に取り付けられる。アーム３８の遠位端部において、切欠き４４が構成される。さらに、突起４６は、アーム３８の内面上に切欠き４４の近位かつこれに隣接して配置される。突起４６の遠位向き端面は、後側薬物送達部材ガード４８の近位端面に当接するように構成される。後側薬物送達部材ガード４８は、管状本体５０として構成される。管状本体５０の近位領域において、２つの径方向に延在する棚部５２は、周の周りに構成される。２つの棚部５２の間に、長方形の切欠き５４が長手方向に延在する。管状本体５０の遠位端部において、２つのアーム５６が遠位方向に延在する。アーム５６には、長方形の切欠き５８が設けられる。
【００２３】
さらに、薬物送達部材ガード３０の内側およびその同軸には、図１および図３の断面図を参照して略Ｃ形状の薬剤容器ホルダ６０がある。薬剤容器ホルダ６０は、図４の示される実施形態ではその近位端部において固定された注射針６４を有し、薬剤容器６２の遠位端部を封止する移動可能なストッパ６５を有する一般に細長いシリンジである薬剤容器６２を含むように構成される。注射針６４は好ましくは、図４ａの適した薬剤送達部材シールド６６によって保護される。示される実施形態では、薬剤送達部材シールド６６は、いわゆる可撓性針シールドまたはＦＮＳである。その他の種類の薬剤送達部材シールドが、本発明の範囲で実現可能であることが理解されるべきである。
【００２４】
薬剤容器６２の遠位端部は、略径方向に延在するフランジ６８を有して構成され、薬剤容器ホルダ６０は、フランジ６８が篏合する図３の凹部７０を有する。薬剤容器６２を薬剤容器ホルダ６０内に固定するために、略Ｃ形状のクリップ７２が配置され、これは、凹部７０へと篏合し凹部７０の壁と係合するように設計され、薬剤容器６２を薬剤容器ホルダ６０の内側にしっかりと保持する。薬剤容器ホルダ６０の遠位端部において、凹部７４が構成される。これらの凹部７４は、外側に向けられた棚部７８を有する近位に向けられた舌部７６と相互作用するように設計され、この棚部７８は、凹部７４へと嵌る。近位に向けられた舌部７６は、略管状のプランジャホルダ８０に取り付けられ、このプランジャホルダ８０は、図５に示される薬剤送達装置の駆動ユニット８１内に備えられる。舌部７６の取付点に隣接して、略径方向に延在する棚部８２が構成される。さらに、切欠き８４は、本体の両側上に構成され、略長方形の形状を有する。プランジャホルダの遠位端部において、２つの凹部８６がその反対側に構成される。
【００２５】
プランジャホルダ８０は、略径方向に可撓性である、両側の２つの遠位に向けられたアーム８８をさらに有して構成される。アーム８８の自由端部は、図５の内向きの棚部９０を有して構成され、アーム８８の外側に向けられた表面は、径方向に向けられた突起９２を有して構成される。内向きの棚部９０は、図６の細長いプランジャロッド９６の外面上の周囲の凹部９４と相互作用するように設計され、このプランジャロッド９６は、プランジャホルダ８０の内側に長手方向に摺動可能に構成される。プランジャロッド９６は、予め定められた距離だけプランジャロッドの近位端部から離れて配置された、周方向の近位に向けられた棚部９７を有してさらに構成される。駆動ばね９８は、図１および図５の示される実施形態では、駆動ユニット内に備えられる圧縮ばねである。駆動ばね９８は、図５ａのプランジャロッド９６の近位端壁１００とプランジャホルダ８０の遠位端壁１０２との間に構成される。図４ａの細長いばねガイドロッド１０４は、駆動ばね９８の座屈を阻止するために駆動ばね９８の内側に構成される。アーム８８の自由端部に隣接して、図３の２つの遠位に向けられた支持棚部１０５は両側に構成され、この機能は、以下に説明される。
【００２６】
プランジャホルダと同軸かつその径方向外側に配置されるのは、図７〜図９の略管状の第１の本体１０８を有するアクチュエータ１０６である。第１の本体の遠位端部において、略径方向に可撓性である２つの遠位に向けられたアーム１１０が構成される。アーム１１０の自由端部は、内向きの棚部１１２を有して構成される。アームの棚部１１２は、以下に説明されるようにプランジャホルダ８０を取り外し可能に保持するために、プランジャホルダ８０の凹部８６へと嵌るように構成される。管状の第１の本体１０８の外側かつその同軸にあるのは、管状の第２の本体１１４であり、本体は長手方向に延在するリブ１１６によって互いに取り付けられる。第２の本体１１４は、略径方向に可撓性である２つの近位に向けられた舌部１１８を有して構成される。舌部１１８の自由端部は、内向きの棚部１２０を有して構成される。第２の本体１１４は、長手方向に延在するスリット１２２を有して構成され、これは、第２の本体１１４の近位端面において終端する。さらに、端部セクション１２４は、第１の本体と第２の本体との間に構成され、この端部セクション１２４は、２つの略長方形の第１の通路１２６と中央に配置された略長方形の第２の通路１２８とを有して構成される。
【００２７】
アクチュエータは、略Ｕ字型部品の形態のアクチュエータロック１３０によって静止して保持される。アクチュエータロック１３０の近位に向けられたアーム１３２は、アーム１３２に沿って延在する略長方形の切欠き１３４を有して構成される。各切欠き１３４は、外側へのある傾斜を有する、遠位に向けられた舌部１３６を有する。近位に向けられたアーム１３２は、長方形の第２の通路１２８内および第１の本体１０８と第２の本体１１４との間の環状の空間に嵌るように設計され、舌部１３６の遠位端部が第２の本体のスリット１２２へと移動するように設計され、それらの端面がスリット１２２の近位に向けられた端面に対して当接し、これによって図７ｂに参照されるようにそれらを互いに対して固定するように延在する。
【００２８】
図８の端キャップ１３８は、薬剤送達装置のためにさらに提供される。それは、ハウジングの遠位端部を覆うように構成される略ドーム形にされる本体１４０を備える。いくつかの支持ビーム１４２は、近位方向に延在し、この支持ビーム１４２は、アクチュエータ１０６の端部セクション１２４の遠位に向けられた表面に対して当接する。さらに、２つのアタッチメントアーム１４４は、本体１４０から近位方向に延在する。アタッチメントアーム１４４は、略長方形の断面形状を有し、アクチュエータ１０６の端部セクション１２４の略長方形の第１の通路１２６へと嵌ることを意図される。アタッチメントアームの近位領域にあるのは、略長方形の切欠き１４６であり、これは、アクチュエータ１０６の第２の本体１１４の舌部１１８の内向きの棚部１２０と係合することを意図され、これによりそれらは、アタッチメントアーム１４４が第１の通路１２６へと押されたときに互いにロックされる。このためこの解決策を用いて、アクチュエータ１０６とアクチュエータロック１３０と端キャップ１３８とは、組み立てられたときに互いにロックされる。アセンブリは次いで、図１０に参照されるように、ハウジング１０の舌部２９の内向きの棚部が第２の本体のアームの周りに作成される通路へと嵌る点で、ハウジングの遠位端部に取り付けられる。
【００２９】
いくつかのばね力要素は、図５に示される駆動ユニット８１内に構成される。圧縮ばねの形態の薬物送達部材ガードばね１４８は、後側針カバーの棚部５２の遠位に向けられた表面と、アクチュエータ１０６の第１の管状の本体および第２の管状の本体の間の長手方向リブ１１６の近位に向けられた端面との間に構成される。また圧縮ばねの形態の貫通ばね１５０は、プランジャホルダ８０の遠位に向けられた支持棚部１０５とアクチュエータ１０６の端部セクション１２４の近位に向けられた表面との間に構成される。
【００３０】
さらに、図２および図１１の針カバーロック要素１５２は、薬剤送達装置のハウジングの内側に提供される。針カバーロック要素１５２は、図１１ａに参照されるようにアクチュエータ１０６の第２の本体１１４の近位端部から針カバーの外側に延在する一般に細長い板状部材１５４を備える。部材１５４の遠位端部は、各側上に切欠きを有し、これにより、中央部１５６は、第２の本体１１４のスリット１２２へと篏合し、そこで図１１ａの切欠きの遠位に向けられた端面は、スリット１２２の各側上で第２の本体１１４の近位端面に当接する。部材１５４の近位領域において、略長方形の切欠き１５８が提供され、この機能は以下に説明される。図２および図１２の部材１５４の内面上にその近位領域において、横方向の棚部１６０が構成され、以下に説明されるように薬物送達部材ガード３０の舌部４０と相互作用するように設計される。針カバーロック要素１５２は、近位領域においてハウジング１０の内面上の長手方向に延在するガイド棚部１６２によって支持される。図１２に参照されるように、ガイド棚部１６２は、針カバーロック要素１５２が長手方向以外のすべての方向にガイドされるように、構成される。
【００３１】
さらに、薬剤送達装置は、図１および図１３の遠位に向けられた通路１６６を有して構成される先キャップ１６４を有して構成される。通路１６６の形状は、先キャップ１６４をハウジング１０上に取り外し可能に保持するために、摩擦篏合を用いてハウジングの近位セクション１６上に嵌るためのものである。先キャップ１６４は、薬物送達部材ガード３０の近位端部へと嵌るような寸法を有する遠位に向けられた略管状本体１６８をさらに有して構成される。管状本体の内側に、薬剤送達部材シールドリムーバが構成される。それは、３つの遠位に向けられたアーム１７２を有して構成される板状本体１７０を備える。アーム１７２の端部は、内向きの棚部１７４を有して構成され、この棚部１７４は、薬剤送達部材シールド６６の外面に係合するように構成される。アーム１７２の外面は、近位に向けられ外側に傾けられた舌部１７６を有して構成され、この舌部１７６は、管状本体１６８内の長手方向スリット１７８へと嵌るように設計され、これにより舌部の端面は、先キャップ１６４の端壁１８０の遠位に向けられた表面に当接する。
【００３２】
薬剤送達装置は、以下のように機能することを意図される。薬剤送達装置が組み立てられたとき、注射針６４に取り付けられた薬剤送達部材シールド６６とともに薬剤容器６２は、好ましくは薬剤容器ホルダ６０へと挿入され、薬剤容器６２が薬剤容器ホルダ６０にしっかりと取り付けられるようにＣクリップ７２は、取り付けられる。駆動ばね９８は、プランジャホルダ８０へと挿入され、アーム８８の棚部９０がプランジャロッド９６の凹部９４へと嵌るまでプランジャロッド９６によって遠位方向に張力をかけられプランジャホルダ８０へと押される。そしてアクチュエータ１０６の第１の本体１０８は、第１の本体１０８のアーム１１０の棚部１１２がプランジャホルダ８０の凹部８６へと嵌るまでプランジャホルダ８０へと近位方向に押し付けられ、これにより、アーム１１０は径方向に撓むことを阻止される。そして後側薬物送達部材ガード４８は、アクチュエータ１０６の第１の本体１０８に押し付けられ、第１の本体１０８のアーム８８は径方向に撓むことを阻止される。このため、パワーパック８１が形成される。
【００３３】
針カバーロック１５２は、遠位端部から薬剤送達装置のハウジング１０へと押される。この点について、図１２に参照されるように、それらは、横方向のすべてにおいてガイド棚部１６２によってガイドされ支持される。そして薬物送達部材ガード３０は、遠位端部からハウジングへと入り、これにより舌部４０は、針カバーロック要素１５２の内面上をそれらが切欠き１５８に入るまで摺動し、そこでそれらは、径方向外側に撓み、図１１ｂの張力のかかっていない状態または送達モードにおける状態に配置される。薬剤容器ホルダ６０は今プランジャホルダ８０に取り付けられ、アセンブリ全体は、ハウジングへと遠位端部から挿入され、これは、針カバーロック要素１５２が、針カバーロックの遠位端部において中央部１５６によって長手方向にロックされることを引き起こし、図１１ａのアクチュエータのスリット１２２へと嵌まる。そして薬剤送達装置の遠位端部は、アクチュエータロック１３０および端キャップ１３８によって閉じられる。さらに、先キャップ１６４は、薬剤送達装置の近位端部に取り付けられる。
【００３４】
薬剤送達装置が使用されるとき、先キャップ１６４は、それを近位方向に引くことによって除去される。薬剤送達部材シールド把持部の棚部１７４は、先キャップ１６４が除去されたときに薬剤送達部材シールド６６も引き抜かれるように、薬剤送達部材シールド６６の材料と係合する。装置は今薬剤の容量を送達する準備ができている。そして薬剤送達装置の近位端部は、用量送達部位、すなわち先側薬物送達部材ガードの近位端部に対して押される。これは、先側薬物送達部材ガード３０をハウジングに対して遠位に移動させ、先側薬物送達部材ガード３０が後側薬物送達部材ガード４８に接続されているために、後側薬物送達部材ガード４８はまたハウジングに対して遠位方向に移動する。さらに、舌部４０は、図１４ａの針カバーロック１５２の部材１５４の凹部１５８内に張力なしに移動する。薬物送達部材ガードがある距離を移動した後に、後側薬物送達部材ガード４８の長方形の切欠き５８は、アクチュエータ１０６の第１の本体１０８のアーム１１０の径方向外側に配置され、そしてこのアーム１１０は、径方向外側に自由に撓み、これによってプランジャホルダ８０を解放する。プランジャホルダ８０は今近位方向に貫通ばね１５０の力によって移動され、これによりその薬剤容器６２を有する薬剤容器ホルダ６０はまた、近位方向に移動され、図１４ｂの注射針６４による用量送達部位への穿通を起こす。
【００３５】
穿通手順の間にプランジャホルダ８０が近位方向に動くにつれて、それはまたアクチュエータ１０６の第１の本体１０８に対して移動する。穿通動作の終わりで、プランジャロッド９６を保持するプランジャホルダ８０のアーム８８の突起９２は、図１５の第１の本体１０８の内面との接触から外れ、アーム８８は、径方向外側に自由に撓み、プランジャロッド９６を解放する。駆動ばね９８のために、プランジャロッド９６は今近位方向に促され、これにより薬剤容器６２のストッパ６５も近位方向に移動され、注射針６４を通して薬剤の容量が運ばれる。用量送達手順は、プランジャロッド９６の近位周方向棚部９７が図１６の薬剤容器ホルダ６０の遠位端部表面に接するようになるときに終了する。
【００３６】
薬剤送達装置は、今用量送達部位から除去されることができる。これは薬物送達部材ガード３０が薬物送達部材ガードばね１４８によってハウジングに対して近位方向に移動されることを可能とし、これにより注射針６４が図１７の薬物送達部材ガード３０によってカバーされる。薬物送達部材ガード３０の傾けられた舌部４０の近位に向けられた端面４２が図１８のハウジング移行壁２０に接するようになると、薬物送達部材ガード３０の動きは、止められる。薬物送達部材ガード３０の動きはまた、薬物送達部材ガード３０の傾けられた舌部４０を針カバーロック要素１５２の棚部１６０を通過して移動させ、これは、ハウジングに対して遠位方向の薬物送達部材ガード３０の任意の動きを阻止し、これによって注射針６４の任意の露出を阻止する。薬剤送達装置は今廃棄されることができる。
【００３７】
上記で説明し図面に示した本発明は、非限定的な例としてのみ考えられるべきであり、特許請求の範囲内で多くの方法で変更することができることが理解されるべきである。
【図１】
2019535411.tif 000003
【図２】
2019535411.tif 000004
【図３】
2019535411.tif 000005
【図４ａ】
2019535411.tif 000006
【図４ｂ】
2019535411.tif 000007
【図５ａ】
2019535411.tif 000008
【図５ｂ】
2019535411.tif 000009
【図６】
2019535411.tif 000010
【図７ａ】
2019535411.tif 000011
【図７ｂ】
2019535411.tif 000012
【図８】
2019535411.tif 000013
【図９】
2019535411.tif 000014
【図１０】
2019535411.tif 000015
【図１１ａ】
2019535411.tif 000016
【図１１ｂ】
2019535411.tif 000017
【図１２】
2019535411.tif 000018
【図１３】
2019535411.tif 000019
【図１４ａ】
2019535411.tif 000020
【図１４ｂ】
2019535411.tif 000021
【図１５】
2019535411.tif 000022
【図１６】
2019535411.tif 000023
【図１７】
2019535411.tif 000024
【図１８】
2019535411.tif 000025
【国際調査報告】
2019535411.tif 000026
2019535411.tif 000027